(57)【要約】【課題】  初心者でも信号のゲイン調整を適正かつ容易に行うことができる信号処理装置およびプログラムを提供することを目的とする。【解決手段】  信号の種類を表すカテゴリ毎に信号のレベルに関する推奨の最小値と推奨の最大値とを記憶しておく。推奨の最小値と推奨の最大値は、例えばその種類の信号のダイナミックレンジに基づいて決定する。ユーザ操作に応じて入力する信号のレベルを調整するためのゲインを設定する手段と、カテゴリを設定する手段を設ける。また、設定されたゲインによりレベル調整された信号のレベルをメータ表示するメータ手段を設け、メータ手段によるメータ表示に対応付けて、前記設定されたカテゴリの前記推奨の最小値と前記推奨の最大値を提示する。【選択図】  図６
2015186046.tif 000002
【特許請求の範囲】
【請求項１】
信号の種類を表すカテゴリ毎に信号のレベルに関する推奨の最小値と推奨の最大値とを記憶したレンジ情報記憶手段と、
ユーザ操作に応じて入力する信号のレベルを調整するためのゲインを設定するゲイン設定手段と、
前記カテゴリを設定するカテゴリ設定手段と、
前記設定されたゲインによりレベル調整された信号のレベルをメータ表示するメータ手段と、
前記メータ手段によるメータ表示に対応付けて前記設定されたカテゴリの前記推奨の最小値と前記推奨の最大値を提示する手段と、
を備えることを特徴とする信号処理装置。
【請求項２】
信号の種類を表すカテゴリ毎に信号のレベルに関する推奨の最小値と推奨の最大値とを記憶したレンジ情報記憶手段と、
ユーザ操作に応じて入力する信号のレベルを調整するためのゲインを設定するゲイン設定手段と、
前記カテゴリを設定するカテゴリ設定手段と、
前記設定されたゲインによりレベル調整された信号のレベルをメータ表示するメータ手段と、
前記メータ表示の下限を前記設定されたカテゴリの前記推奨の最小値に対応させるとともに、前記メータ表示の上限を前記設定されたカテゴリの前記推奨の最大値に対応させるように調整する手段と、
を備えることを特徴とする信号処理装置。
【請求項３】
請求項１または２に記載の信号処理装置において、
前記メータ手段は、前記設定されたゲインによりレベル調整された信号を入力し、その信号の減衰の変化率を下げてなだらかに変化するメータ値を生成してメータ表示する
ことを特徴とする信号処理装置。
【請求項４】
コンピュータを、
信号の種類を表すカテゴリ毎に信号のレベルに関する推奨の最小値と推奨の最大値とを記憶したレンジ情報記憶手段と、
ユーザ操作に応じて入力する信号のレベルを調整するためのゲインを設定するゲイン設定手段と、
前記カテゴリを設定するカテゴリ設定手段と、
前記設定されたゲインによりレベル調整された信号のレベルをメータ表示するメータ手段と、
前記メータ手段によるメータ表示に対応付けて前記設定されたカテゴリの前記推奨の最小値と前記推奨の最大値を提示する手段と、
を備える信号処理装置として機能させるためのプログラム。
【請求項５】
コンピュータを、
信号の種類を表すカテゴリ毎に信号のレベルに関する推奨の最小値と推奨の最大値とを記憶したレンジ情報記憶手段と、
ユーザ操作に応じて入力する信号のレベルを調整するためのゲインを設定するゲイン設定手段と、
前記カテゴリを設定するカテゴリ設定手段と、
前記設定されたゲインによりレベル調整された信号のレベルをメータ表示するメータ手段と、
前記メータ表示の下限を前記設定されたカテゴリの前記推奨の最小値に対応させるとともに、前記メータ表示の上限を前記設定されたカテゴリの前記推奨の最大値に対応させるように調整する手段と、
を備える信号処理装置として機能させるためのプログラム。
【発明の詳細な説明】
【技術分野】
【０００１】
この発明は、信号のゲイン調整を適正かつ容易に行うことができる信号処理装置およびプログラムに関する。
【背景技術】
【０００２】
従来より、入力した信号に信号処理を施す各種の信号処理装置が知られている。例えば、音響信号を入力しミキシング等の種々の処理を施して出力するミキサなどの音響信号処理装置がある。このような信号処理装置では、信号の入力段でゲインコントロールすることにより信号処理を施すのに適正な信号レベルの範囲に調整する機能を設けたものがある。ミキサでは、音響信号を処理するための入力チャンネル（ｃｈ）の入力段にヘッドアンプが設けられている（非特許文献１のヘッドアンプに関する記載参照）。ヘッドアンプとは、入力信号のレベルを入力ｃｈの信号処理（例えばイコライザやコンプレッサなど）を行うのに適正な範囲に調整するためのアンプである。ミキサのユーザは、メータの示すレベルがＯＶＥＲしない範囲でできるだけ高いレベルになるようにゲインを調整する。
【先行技術文献】
【非特許文献】
【０００３】
【非特許文献１】DIGITAL MIXING CONSOLE M7CL、取扱説明書、2005年、ヤマハ株式会社
【発明の概要】
【発明が解決しようとする課題】
【０００４】
上述したヘッドアンプによるゲインの調整は初心者にとっては難しい場合が少なくない。例えば、打撃音系の楽音と持続音型の楽音とではゲインの調整位置が異なり、熟練したユーザはそれを経験的に認識しているが、初心者にとっては不明の場合が多い。
【０００５】
本発明は、初心者でも信号のゲイン調整を適正かつ容易に行うことができる信号処理装置およびプログラムを提供することを目的とする。
【課題を解決するための手段】
【０００６】
上記目的を達成するため、請求項１の発明に係る信号処理装置は、信号の種類を表すカテゴリ毎に信号のレベルに関する推奨の最小値と推奨の最大値とを記憶したレンジ情報記憶手段と、ユーザ操作に応じて入力する信号のレベルを調整するためのゲインを設定するゲイン設定手段と、前記カテゴリを設定するカテゴリ設定手段と、前記設定されたゲインによりレベル調整された信号のレベルをメータ表示するメータ手段と、前記メータ手段によるメータ表示に対応付けて前記設定されたカテゴリの前記推奨の最小値と前記推奨の最大値を提示する手段と、を備えることを特徴とする。
【０００７】
請求項２に係る信号処理装置は、信号の種類を表すカテゴリ毎に信号のレベルに関する推奨の最小値と推奨の最大値とを記憶したレンジ情報記憶手段と、ユーザ操作に応じて入力する信号のレベルを調整するためのゲインを設定するゲイン設定手段と、前記カテゴリを設定するカテゴリ設定手段と、前記設定されたゲインによりレベル調整された信号のレベルをメータ表示するメータ手段と、前記メータ表示の下限を前記設定されたカテゴリの前記推奨の最小値に対応させるとともに、前記メータ表示の上限を前記設定されたカテゴリの前記推奨の最大値に対応させるように調整する手段と、を備えることを特徴とする。
【０００８】
請求項３に係る発明は、請求項１または２に記載の信号処理装置において、前記メータ手段は、前記設定されたゲインによりレベル調整された信号を入力し、その信号の減衰の変化率を下げてなだらかに変化するメータ値を生成してメータ表示することを特徴とする。
【０００９】
請求項４に係る発明は、コンピュータを、信号の種類を表すカテゴリ毎に信号のレベルに関する推奨の最小値と推奨の最大値とを記憶したレンジ情報記憶手段と、ユーザ操作に応じて入力する信号のレベルを調整するためのゲインを設定するゲイン設定手段と、前記カテゴリを設定するカテゴリ設定手段と、前記設定されたゲインによりレベル調整された信号のレベルをメータ表示するメータ手段と、前記メータ手段によるメータ表示に対応付けて前記設定されたカテゴリの前記推奨の最小値と前記推奨の最大値を提示する手段と、を備える信号処理装置として機能させるためのプログラムである。
【００１０】
請求項５に係る発明は、コンピュータを、信号の種類を表すカテゴリ毎に信号のレベルに関する推奨の最小値と推奨の最大値とを記憶したレンジ情報記憶手段と、ユーザ操作に応じて入力する信号のレベルを調整するためのゲインを設定するゲイン設定手段と、前記カテゴリを設定するカテゴリ設定手段と、前記設定されたゲインによりレベル調整された信号のレベルをメータ表示するメータ手段と、前記メータ表示の下限を前記設定されたカテゴリの前記推奨の最小値に対応させるとともに、前記メータ表示の上限を前記設定されたカテゴリの前記推奨の最大値に対応させるように調整する手段と、を備える信号処理装置として機能させるためのプログラムである。
【発明の効果】
【００１１】
本発明によれば、カテゴリ（例えば楽器種類等）毎に異なるダイナミックレンジの範囲を気にすること無く、初心者でも適切なゲインを簡単に設定・調整することができる。
【図面の簡単な説明】
【００１２】
【図１】実施形態のデジタルミキサのハードウェア構成図
【図２】ミキシング処理と入力ｃｈの機能構成例を示す図
【図３】チャンネルネーム設定画面例を示す図
【図４】カテゴリ情報の構成を示す図
【図５】カテゴリ毎のレベルの推奨範囲を示す図
【図６】ゲイン設定画面の例１を示す図
【図７】メータの表示イメージを示す図
【図８】カテゴリ毎のレベルの推奨範囲のみをスケーリングしてメータ表示する例を示す図
【図９】ゲイン設定画面の例２を示す図
【図１０】ゲイン設定処理のフローチャート
【発明を実施するための形態】
【００１３】
以下、図面を用いて本発明の実施の形態を説明する。
【００１４】
図１は、本発明の一実施形態の信号処理装置を適用したミキサ１００のハードウェア構成を示すブロック図である。ＣＰＵ１０１は、本ミキサ全体の動作を制御する処理装置である。メモリ１０２は、ＣＰＵ１０１が実行する、後述するフローチャートを用いて説明する処理などの各種プログラムや以下の説明で例示する各種データなどを格納した記憶装置であり、ＲＡＭ、ＲＯＭ、フラッシュメモリ、ハードディスクなどの記憶手段を適宜組み合わせて構成したものである。表示器１０３は、このミキサの操作パネル上に設けられた各種の情報を表示するためのディスプレイである。表示器１０３は本実施形態においてはタッチパネルであり、タッチ操作を検出可能なものとする。操作子１０４は、このミキサの操作パネル上に設けられたユーザが操作するための各種の操作子（電動フェーダ、ロータリーエンコーダ、スイッチ、ボタン等）である。信号処理部１０５は、例えばＤＳＰ（デジタル信号処理装置）であり、ＣＰＵ１０１の指示に基づいて各種の信号処理プログラムを実行することにより、波形Ｉ／Ｏ１０６経由で入力した音響信号のミキシング処理、効果付与処理、及び音量レベル制御処理などを行い、処理後の音響信号を波形Ｉ／Ｏ１０６経由で出力する。その他Ｉ／Ｏ１０７は、例えばＰＣなどの各種の外部機器へ接続するためのインターフェースである。バス１０８は、これら各部を接続するバスラインであり、コントロールバス、データバス、およびアドレスバスを総称したものである。１１０は、本発明に係る信号処理装置を実現する構成要素を示す。
【００１５】
図２（ａ）は、本実施形態のミキサにより実現するミキシング処理の機能構成を示すブロック図である。マイクなどの各種の音響信号供給源から入力したアナログ音響信号は不図示の入力ポートにてデジタル音響信号に変換され、ユーザの指定に応じて入力ｃｈ２０１の複数の入力ｃｈの中の何れかに入力される。入力ｃｈ２０１の各入力ｃｈは、入力した音響信号に対してＣＰＵ１０１の指示に基づく振幅特性や周波数特性などの特性調整処理を行う。各入力ｃｈから出力された音響信号は、ＭＩＸ部２０２にてＣＰＵ１０１の指示に応じて混合され、その混合信号は出力ｃｈ２０３の複数の出力ｃｈの中の何れかに出力される。各出力ｃｈから出力された音響信号は、不図示の出力ポートにてアナログ信号に変換され出力される。これらのブロック２０１〜２０３は、ＣＰＵ１０１が設定した信号処理プログラムを実行する信号処理部１０５およびその信号処理部１０５を制御するＣＰＵ１０１により実現される。なお、ここではアナログ音響信号の入出力を例として説明したがデジタル音響信号の入出力でもよい。
【００１６】
図２（ｂ）は、入力ｃｈ２０１の中の１つの入力ｃｈの概略構成を示すブロック図である。ヘッドアンプ（ＨＡ）２１１は、この入力ｃｈに入力した音響信号の音量レベルを、与えられたゲイン値（ＧＡＩＮ）に応じて調整するプリアンプである。メータ２１２は、ＨＡ２１１でレベル調整された入力音響信号のレベルを表示するメータである。ユーザは、メータ２１２を見ながら、所定の操作子でＨＡ２１１に与えるゲイン値を調整することができる。特に、本実施形態では、ユーザがこのゲイン値を適正な値に簡単に調整できるようにする仕組みを備えるが、それについては後述する。イコライザ（ＥＱ）２１３は周波数特性の調整を行うモジュールである。レベル（Ｌｅｖｅｌ）２１４は、信号の送出レベルを調整するレベル調整部である。なお、ここに示した入力ｃｈの構成は一例であり、他にハイパスフィルタ、ゲート、コンプレッサ、ディレイ、パン、その他の各種の音響信号処理を行うモジュールを備えてよい。
【００１７】
図３は、本実施形態のミキサのｃｈネーム設定画面例を示す。所定の画面で１つのｃｈを指定してｃｈネーム設定を指示する所定の操作を行うことで、ｃｈネーム設定画面３０１が表示される。３０２はクローズボタン、３０３はアイコン＆ネーム表示領域、３０４は候補アイコン表示領域である。アイコン＆ネーム表示領域３０３には、ｃｈネームを設定する処理対象ｃｈのｃｈ番号表示３３１、選択されたアイコンの表示３３２、および、ｃｈネーム設定領域３３３が設けられている。候補アイコン表示領域３０４には、選択できる候補である複数のアイコン３４１，３４２，…が表示される。
【００１８】
候補アイコン表示領域３０４のアイコン３４１，３４２，…は、それぞれが１つのカテゴリを示しており、大まかに楽器種類等の概念を表している。例えば、アイコン３４１の「Ｋｉｃｋ」はバスドラム系の楽器を表すカテゴリであり、アイコン３４２の「Ｓｎａｒｅ」は小太鼓系の楽器を表すカテゴリを示す。なお、ここではアイコンを矩形と「Ｋｉｃｋ」などの文字列で図示したが、実際にはカテゴリに応じた図柄が表示するようにしてもよい。ユーザは、これらのアイコン３４１，３４２，…から１つをタッチして選択し、処理対象のｃｈで処理する信号の大まかな楽器種類概念を指定する。図３は、ユーザがアイコン３４１をタッチしてカテゴリとして「Ｋｉｃｋ」を選択した状態の画面を示している。アイコン３４１の斜線は、このアイコンが選択されたことを示す。選択されたアイコンは、アイコン＆ネーム表示領域３０３の選択アイコン表示３３２に表示される。なお、本発明においてカテゴリとは、例えば、楽器の種類（打楽器や弦楽器等の種別や名称等）、声の種類(男声や女声など)、音域(ソプラノやアルトなど）、演奏者の名前やバンド名あるいはホールやスタジオなどの演奏環境、演目のジャンル（演劇、ロック、ポップス等）といった、入力される信号を特性や状況・環境など種々の観点で分類したものを指す。
【００１９】
以上のようにして、ユーザは、ｃｈネーム設定画面３０１を用いて、指定したｃｈにカテゴリを設定できる。このような各ｃｈにカテゴリ（およびｃｈネーム）を設定する機能は従来のミキサも備えていたものであるが、それは各ｃｈの設定状況や動作状況を表示する際に同時にカテゴリやｃｈネームを表示してユーザに分かり易くするためのものであった。これに対し、本実施形態のミキサでは、カテゴリ毎にゲイン設定に有用な情報を備え、ｃｈにカテゴリを設定することで、そのｃｈのＨＡ２１１のゲイン設定を行う際に有用な情報をユーザに提示することができる。
【００２０】
図４は、本実施形態のミキサがメモリ１０２上に備えるカテゴリ情報の構成例を示す。カテゴリ情報は、複数のカテゴリ毎に設けられている。１つのカテゴリ情報４００は、信号処理情報４０１と表示情報４０２からなる。表示情報４０２は、このカテゴリを表すアイコンの画像データなどであるアイコン情報４２１を含む。アイコン情報４２１以外にも表示に関する種々のデータを有していてもよい。
【００２１】
信号処理情報４０１は、ゲイン情報４１１、メータ情報４１３などを備える。メータ情報４１３のディケイ（Ｄｅｃａｙ）値４１６については、図７を参照して後述する。カテゴリ情報には、これらの情報のほか、例えばこのカテゴリに推奨されるＥＱの設定情報など種々の情報を有していてもよい。
【００２２】
ゲイン情報４１１は、このカテゴリにおける推奨の最小値４１４と推奨の最大値４１５からなる。上述したようにカテゴリというのは大まかに楽器の種類等を示すものであり、推奨の最小値４１４は、そのカテゴリの楽器の種類に応じたダイナミックレンジの最小値を示し、推奨の最大値４１５は、そのカテゴリの楽器の種類に応じたダイナミックレンジの最大値を示す。例えば、打楽器系の楽器の楽音信号では、強く演奏したときと弱く演奏したときの信号の最小値と最大値との比率は大きくなりダイナミックレンジは広くなる。逆に持続音系の楽器の楽音信号では、強く演奏したときと弱く演奏したときの信号の最小値と最大値との比率は比較的小さくダイナミックレンジは狭くなる。また、楽器種類毎に平均的な信号レベルの大小があるから、楽器種類によってダイナミックレンジはレベルが大きい方にシフトしたり、またはレベルが大きい方にシフトしたりする。
【００２３】
本実施形態の装置はデジタルミキサであって信号をデジタルデータで表現するので、例えば１６ビットデータで音響信号を表現する場合は信号のレベルの下限（レベル最小値）は−９６ｄＢＦＳ、上限（レベル最大値）は０ｄＢＦＳとなる。また、２４ビットデータで音響信号を表現する場合はレベル最小値は−１４４ｄＢＦＳ、レベル最大値は０ｄＢＦＳとなる。このレベル最小値からレベル最大値の範囲内に、各楽器種類（カテゴリ）毎に、その楽器種類の楽音信号のダイナミックレンジ（すなわち推奨の最小値４１４から推奨の最大値４１５までの範囲）が位置する。
【００２４】
図５は、カテゴリ毎のレベルの推奨範囲の例を示す図である。５０１が本実施形態の装置が表現可能なレベル最小値を示し、５０２が本実施形態の装置が表現可能なレベル最大値を示す。単位はｄＢＦＳである。この範囲内に、各カテゴリの楽器種類の信号のダイナミックレンジが位置する。例えば、カテゴリがＶｏｃａｌのダイナミックレンジは５１０の範囲、カテゴリがＳｙｎｔｈのダイナミックレンジは５２０の範囲、カテゴリがＫｉｃｋのダイナミックレンジは５３０の範囲である。５１１と５１２は、Ｖｏｃａｌのダイナミックレンジの推奨の最小値と推奨の最大値を示す。５２１と５２２は、Ｓｙｎｔｈのダイナミックレンジの推奨の最小値と推奨の最大値を示す。図４で説明したＶｏｃａｌのカテゴリ情報において、推奨の最小値４１４の欄には推奨の最小値５１１の値が設定され、推奨の最大値４１５の欄には推奨の最大値５１２の値が設定されている。また、Ｓｙｎｔｈのカテゴリ情報において、推奨の最小値４１４の欄には推奨の最小値５２１の値が設定され、推奨の最大値４１５の欄には推奨の最大値５２２の値が設定されている。他のカテゴリのカテゴリ情報についても同様である。
【００２５】
各カテゴリのダイナミックレンジ５１０，５２０，５３０，…は、そのカテゴリの楽器種類の楽音信号であれば、信号レベルが大体このダイナミックレンジの範囲内で振れるのが適正と推定される範囲を示している。従って、あるカテゴリの楽器種類の楽音信号が入力したとき、ＨＡ２１１のゲインを調整して、その信号レベルがそのカテゴリの上記ダイナミックレンジの範囲内に入るようにゲインコントロールすることで、その楽音信号のレベルが適正に調整されたと言うことができる。本実施形態のミキサでは、図３のｃｈネーム設定画面３０１で各ｃｈにカテゴリを設定でき、そのカテゴリ情報４００には推奨の最小値４１４と推奨の最大値４１５を含めてある。そこで、各ｃｈのＨＡ２１１のゲイン設定を行う際には、そのｃｈに設定されているカテゴリのカテゴリ情報４００の推奨の最小値４１４と推奨の最大値４１５を読み出してユーザに提示する。
【００２６】
図６は、ゲイン設定画面の例を示す。ユーザがＨＡ２１１のゲイン設定を行いたいｃｈを指定して所定のゲイン設定指示操作を行うと、図６の画面６０１が表示される。ここでは、ｃｈ１〜ｃｈ３の３つのｃｈのゲイン設定を行う画面６０１を例とした。６１１は、画面６０１の左領域がｃｈ１のゲイン設定画面であり、ｃｈ１にはカテゴリとしてＶｏｃａｌが設定されていることを示す見出しの表示である。ｃｈ２とｃｈ３についても同様の見出しが表示されている。
【００２７】
ｃｈ１のゲイン設定画面において、６１２は推奨範囲、６１３はメータ表示、６１４はゲイン設定を行う際にタッチするノブ（例えばＧＵＩとしてのノブ操作子）の表示である。ユーザは、例えばｃｈ１のゲイン設定を行いたい場合、まずノブ表示６１４をタッチしてｃｈ１を選択状態とし、該ノブ表示６１４に対応する物理操作子であるノブ（操作パネル上に設けられている）を操作することでｃｈ１のＨＡ２１１のゲイン設定を行う。あるいはゲイン設定画面においてノブ表示６１４を操作するジェスチャ入力をタッチパネルに与えることでｃｈ１のＨＡ２１１のゲイン設定を行う。
【００２８】
メータ表示６１３は、このｃｈ１のＨＡ２１１によるレベル調整後の信号のレベルを表示するメータである。縦長の矩形の下端６４１は図５のレベル最小値５０１に相当し、上端６４２はレベル最大値５０２に相当する。グレーに塗りつぶした部分の上端が現在のレベル値（「メータ値」と呼ぶ）を示す。推奨範囲６１２は、このｃｈ１のカテゴリの楽器種類に対応するダイナミックレンジを示す矩形表示である。下端６５１は図５の推奨の最小値５１１の位置に相当し、上端６５２は図５の推奨の最大値５１２の位置に相当する。このｃｈのカテゴリはＶｏｃａｌであるので、Ｖｏｃａｌのカテゴリ情報４００の推奨の最小値４１４と推奨の最大値４１５を読み出し、メータ表示６１３の最小値６４１から最大値６４２までのスケールを基準として推奨の最小値４１４と推奨の最大値４１５の値に応じて下端６５１と上端６５２の位置を決めて、推奨範囲６１２の矩形を表示する。同様にして、ｃｈ２ではカテゴリＳｙｎｔｈのダイナミックレンジ５２０の範囲を示す推奨範囲６２２が表示され、ｃｈ３ではカテゴリＫｉｃｋのダイナミックレンジ５３０の範囲を示す推奨範囲６３２が表示されている。
【００２９】
ユーザは、例えばｃｈ１のＨＡ２１１のゲイン設定を行う場合は、メータ表示６１３で入力信号のレベルを確認しながら、そのメータ値の振れ幅が推奨範囲６１２の範囲内に常に入るように、ノブの調整操作を行えばよい。他のｃｈも同様であり、何れもそのｃｈに設定されているカテゴリに対応する推奨範囲が表示されているので、どのようにゲイン設定を行えばよいか分からない初心者であっても、簡単に適正なゲイン設定を行うことができる。
【００３０】
図７は、ゲイン設定画面のメータ（例えば６４１）の表示イメージを示すグラフである。横軸が時間、縦軸が信号レベルを示す。本実施形態では、メータ表示する際に実際の入力信号のレベル値をそのままメータ値としてメータ表示するモード（ディケイモードオフと呼ぶ）と、実際の入力信号のレベル値をディケイ（減衰）させてメータ値としてメータ表示するモード（ディケイモードオンと呼ぶ）とを、ユーザが選択できる。その選択の操作方法は任意である。
【００３１】
点線７０１は、実際の入力信号のレベル値の変化を示すグラフである。ディケイモードオフの場合、この点線７０１のレベル値がそのままメータ値としてメータ表示される。この場合、打撃音系の楽音だとレベル値が急激に上がり急激に下がるので、その変化に追従してメータ値も急激に振れる。従って、ユーザにとってはメータ値の振れ幅が見難くなることがある。そのような場合はディケイモードオンとする。実線７０２は、ディケイモードオンの場合のメータ値の変化を示すグラフである。点線７０１のように入力信号のレベル値が変化した場合、急激にレベル値が変化する例えば７１１や７１２に示す位置では、減衰の変化率を下げてなだらかに変化する実線７０２のようなメータ値を生成してメータ表示する。これにより、入力信号の振れ幅が見易くなり、ゲイン設定が簡単に行える。なお、減衰の変化率をどの程度下げるか、言い替えると、どの程度なだらかにさせるかは、カテゴリ情報４００中の上記ディケイ値４１６で設定できるものとする。
【００３２】
図８と図９は、メータ表示の別の例を示す。この例は、カテゴリ毎のレベルの推奨範囲のみをスケーリングしてメータ表示する例である。図８のＶｏｃａｌ、Ｓｙｎｔｈ、Ｋｉｃｋの各矩形は各カテゴリの推奨範囲を示す図であり、図５と同じものである。図５と図８とで同じものには同じ付番を付した。図８の例では、各カテゴリの推奨範囲であるダイナミックレンジ５１０，５２０，５３０，…をスケーリング（マッピング）し、信号レベルがこの範囲に入ったときにメータ表示を行うようにする。この例では、各ダイナミックレンジを所定数のセグメントにスケーリングし信号レベルに応じて対応するセグメントを点灯させる。セグメントとは、点灯表示（点灯しているＬＥＤを模したもの）または消灯表示（消灯しているＬＥＤを模したもの）が可能な１つの小矩形領域である。カテゴリＶｏｃａｌでは、ダイナミックレンジ５１０の範囲を５つの分割区間に等分し、各分割区間を順に５つのセグメント８０１に対応させている。同様に、カテゴリＳｙｎｔｈやＫｉｃｋでも、ダイナミックレンジ５２０，５３０の範囲を５つの分割区間に等分し、各分割区間を順に５つのセグメントに対応させている。
【００３３】
図９は、図８のようにスケーリングした場合のゲイン設定画面例を示す。図６と同様に、ユーザによる所定の操作で画面９０１が表示される。ここでは１つのｃｈ１についての画面を示した。図６と同様に複数ｃｈ分の画面を表示するようにしてもよい。９０３は図６の見出し表示６１１と同様の表示である。９０５は図６のノブ表示６１４と同様のゲイン設定を行うｃｈを選択する際にタッチするノブの表示である。
【００３４】
９０４は、図８の８０１に相当する５つのセグメント９０４ー１〜９０４ー５である。図８に示したように、ダイナミックレンジ５１０の範囲は５つに等分割されており、各分割区間は順に５つのセグメント９０４ー１〜９０４ー５にそれぞれ対応している。例えば、ＨＡ２１１によるレベル調整後の信号レベルがダイナミックレンジ５１０の先頭の分割区間５１０ー１に入っていた場合は、対応するセグメント９０４ー１が点灯し、その他のセグメントは消灯する。同様に、ＨＡ２１１によるレベル調整後の信号レベルが２番目の分割区間５１０ー２に入っていた場合は、対応するセグメント９０４ー２が点灯し、その他のセグメントは消灯する。ＨＡ２１１によるレベル調整後の信号レベルがダイナミックレンジ５１０の範囲に入っていない場合は、５つの全セグメント９０４が消灯する。
【００３５】
ユーザは、メータ表示９０４を見ながら、５つのセグメントの何れか１つが常に点灯しているように（すなわち５つ全部が消灯されることがないように）ノブの調整操作を行えばよい。このようなスケーリングしたメータ表示により、初心者であっても簡単に適正なゲイン設定を行うことができる。また、図６の推奨範囲６１２，６２２，６３２のような表示だとカテゴリ毎に区々な幅の推奨範囲に入るようにゲイン調整する必要があるので、調整操作がしにくい場合があるが、図８，９で説明したように全てのカテゴリで推奨範囲を同じ数のセグメントにスケーリングすることで、ユーザはどのカテゴリでも同様な感覚でゲイン調整を行うことができるというメリットがある。なお、図８，９の例において、図７で説明したように入力信号のレベル値をディケイ（減衰）させてメータ表示してもよい。
【００３６】
図１０は、ＣＰＵ１０１により実行されるゲイン設定処理のフローチャートである。この処理は、ユーザによるゲイン設定を指示する所定の操作で起動される。この処理が起動されるときには、ゲイン設定する処理対象のｃｈとそのｃｈに設定されているカテゴリが指定されているものとする。まず、ステップ１００１で、処理対象のｃｈに設定されているカテゴリのカテゴリ情報４００を取得し、ステップ１００２で、そのカテゴリ情報４００から推奨の最小値４１４と推奨の最大値４１５を取得する。
【００３７】
ステップ１００３で、スケーリングする図９のような画面とするか、またはスケーリングしない図６のような画面とするかを判別する。予めユーザによりどちらの画面とするかは指定されているものとする。スケーリングしない場合、ステップ１００４で、図６のようなゲイン設定画面を表示（推奨範囲とメータ表示以外のオブジェクトも表示）する。次に、ステップ１００５で、推奨範囲（図６の６１２等）を、ステップ１００２で取得した推奨の最小値４１４と推奨の最大値４１５に応じて表示する。ステップ１００６で、メータ領域（図６の６１３等）を設定する。ステップ１００３でスケーリングする場合は、ステップ１００７で、図９のようなゲイン設定画面を表示（メータ表示以外のオブジェクトも表示）する。ステップ１００８では、ステップ１００２で取得した推奨の最小値４１４と推奨の最大値４１５に応じて、スケーリングしたメータ領域（図９の９０４）を設定する。
【００３８】
次にステップ１００９で、メータ表示にディケイを反映させるか否か判定する。ディケイさせるか否かは、予めユーザにより指定されているものとする。ディケイさせない場合はステップ１０１０でディケイモードオフとし、ディケイさせる場合はステップ１０１１でディケイモードオンとする。
【００３９】
ステップ１０１２〜１０１５は、ゲイン設定画面におけるメータ表示を繰り返し行うためのループ処理である。このループ処理が終了するのは、ゲイン設定画面を閉じる指示が為されたときである。なお、このメータ表示が繰り返し行われているとき、並行して別ルーチンで、処理対象のｃｈのゲイン設定を行う所定のノブの操作を検出し、そのノブ操作に応じたゲイン値をＨＡ２１１に渡して動作させる処理が繰り返し実行されているものとする。
【００４０】
ステップ１０１２〜１０１５のループ処理において、ステップ１０１３では、処理対象のｃｈのメータリングポイントのレベル値を取得する。ここではＨＡ２１１でレベル調整された後の信号を取り出すものとする。ステップ１０１４で、そのレベル値に応じてメータ表示を更新する。なお、ディケイモードオンのときは、ステップ１００１で取得したカテゴリ情報４００中のディケイ値４１６に応じてメータ値をディケイさせるものとする。
【００４１】
上記実施形態では図６に示すようにメータ表示と推奨範囲とを別の矩形で表したが、メータ表示自体に推奨範囲を表示色を変えて表示するようにしてもよい。
【００４２】
上記実施形態の図６ではメータ表示や推奨範囲を縦方向に長い矩形で表したが、これを横方向にしてもよい。図９ではメータ表示を横方向に並べた５つのセグメントで表現したが、セグメントの数はこれに限らず、また並べる方向を縦方向にしてもよい。
【００４３】
上記実施形態では、カテゴリ毎にディケイ値４１６を持たせたが、全カテゴリに共通の１つのディケイ値を用いてもよい。カテゴリ情報４００のゲイン情報４１１は、予めファクトリプリセットしておいてもよいし、ユーザが変更できるようにしてもよい。
【００４４】
なお、スケーリングの有無をあらかじめ固定的に定めておいてもよい。この場合は、ステップ１００３の処理を省略し、ステップ１００４〜ステップ１００６の処理かステップ１００７〜ステップ１００８の処理のいずれか一方を実行するように構成すればよい。さらに、ディケイを反映させるか否かをあらかじめ固定的に定めておいてもよい。この場合は、ステップ１００９、１０１０、１０１１の処理を省略し、ステップ１０１４ではあらかじめ定められたディケイの態様にてメータ領域の表示を更新するようにすればよい。
【００４５】
上記実施形態では、本発明をデジタルミキサ１００に適用したものとしたが、本発明の実施形態はこれに限定されるものではなく、本発明の技術思想を逸脱しない範囲で種々の形態に適用することができる。例えば、本発明を実現するソフトウェアを汎用の情報端末（ＰＣ、スマートフォン等）にインストールし、当該ソフトウェアを実行することにより本発明の信号処理装置として機能させてもよい。あるいは、本発明を実現するソフトウェアをオンライン・サービスとして提供し、汎用の情報端末から当該サービスにアクセスすることにより、全体として本発明の信号処理装置として機能させてもよい。
【符号の説明】
【００４６】
１００…デジタルミキサ、１０１…中央処理装置（ＣＰＵ）、１０２…メモリ、１０３…表示器、１０４…操作子、１０５…信号処理部（ＤＳＰ）、１０６…波形Ｉ／Ｏ、１０７…その他Ｉ／Ｏ。
【図１】
2015186046.tif 000003
【図２】
2015186046.tif 000004
【図３】
2015186046.tif 000005
【図４】
2015186046.tif 000006
【図５】
2015186046.tif 000007
【図６】
2015186046.tif 000008
【図７】
2015186046.tif 000009
【図８】
2015186046.tif 000010
【図９】
2015186046.tif 000011
【図１０】
2015186046.tif 000012